(57)【特許請求の範囲】
【請求項１】
生鮮食料品を入れる容器体の開口部を覆う透明なシート基材には、該生鮮食料品の商品名で構成される主情報と、該生鮮食料品に関連する副次的な情報で構成される副情報と、が印刷されるラッピングフィルムであって、
前記シート基材は、少なくとも一部に半透明な下地部が網点印刷により形成され、該下地部内に前記副情報が印刷されており、該下地部の網点濃度は、５〜４０％となっていることを特徴とするラッピングフィルム。
【請求項２】
前記下地部の網点濃度は、１０〜２０％となっていることを特徴とする請求項１に記載のラッピングフィルム。
【請求項３】
前記下地部は、前記シート基材が前記開口部を覆う面積のうち略半分の面積に形成されることを特徴とする請求項１または２に記載のラッピングフィルム。
【請求項４】
前記下地部は、前記シート基材の表側に印刷されることを特徴とする請求項１ないし３のいずれかに記載のラッピングフィルム。
【請求項５】
前記下地部は、白系の色合いの単色印刷となっていることを特徴とする請求項１ないし４のいずれかに記載のラッピングフィルム。
【請求項６】
前記生鮮食料品は、暖色系の色合いを有する果物類または野菜類となっていることを特徴とする請求項１ないし５のいずれかに記載のラッピングフィルム。
【発明の詳細な説明】
【技術分野】
【０００１】
本発明は、果物や野菜等の生鮮食料品を入れる容器体の開口部を覆うラッピングフィルムに関する。
【背景技術】
【０００２】
従来より、苺や葡萄等の食料品を透明なプラスチック容器に入れて販売することが行われている。このようなプラスチック容器は、開口面を有しており、この開口面から食料品を入れた後、開口面を透明のフィルムでラッピングすることにより、食料品がプラスチック容器からこぼれ落ちないようにして販売される。プラスチック容器の開口面をラッピングする透明のフィルムには、その食料品の品種や製品名等の商標が表示されており、消費者は、その表示された商標を参照しながら食料品を購入している（例えば、特許文献１参照）。
【先行技術文献】
【特許文献】
【０００３】
【特許文献１】特開２０１０−１１１４２２号公報
【発明の概要】
【発明が解決しようとする課題】
【０００４】
特許文献１に記載のラッピングフィルムは、透明なフィルムとなっているため、容器内の食料品が視認し易くなっており、消費者も食料品の鮮度等を確認してから購入できるため便利である。更に近年、商標（主情報）以外の商品に関連する様々な情報や広告等（副情報）を掲載したいという販売者側の要望がある。しかしながら、商標以外の情報や広告等は、商標と比較して小さな文字で印刷されるようになっており、透明なフィルムに小さい文字を印刷すると容器内の食料品の色合いと混在して読み難くなり、文字等を読み易いように下地の色を付けると容器内の食料品が視認し難くなるという問題がある。
【０００５】
本発明は、このような問題点に着目してなされたもので、生鮮食料品に関連する副次的な情報を印刷する際に、副次的な情報を読み易くし、かつ容器体内の生鮮食料品を視認し易くすることができるラッピングフィルムを提供することを目的とする。
【課題を解決するための手段】
【０００６】
前記課題を解決するために、本発明のラッピングフィルムは、
生鮮食料品を入れる容器体の開口部を覆う透明なシート基材には、該生鮮食料品の商品名で構成される主情報と、該生鮮食料品に関連する副次的な情報で構成される副情報と、が印刷されるラッピングフィルムであって、
前記シート基材は、少なくとも一部に半透明な下地部が網点印刷により形成され、該下地部内に前記副情報が印刷されており、該下地部の網点濃度は、５〜４０％となっていることを特徴としている。
この特徴によれば、副次的な情報である副情報を小さい文字で印刷する際に、半透明な下地部内に印刷されるため、生鮮食料品の色合いに邪魔されることなく副情報が読み易くなるばかりか、下地部を通して容器体内の生鮮食料品を視認することができ、かつ５〜４０％の網点濃度が、下地部内の副情報を読み易くし、かつ容器体内の生鮮食料品を下地部を介して視認し易くすることに適した網点濃度となっている。
【０００７】
本発明のラッピングフィルムは、
前記下地部の網点濃度は、１０〜２０％となっていることを特徴としている。
この特徴によれば、１０〜２０％の網点濃度が、下地部内の副情報を読み易くし、かつ容器体内の生鮮食料品を下地部を介して視認し易くすることに最も適した網点濃度となっている。
【０００８】
本発明のラッピングフィルムは、
前記下地部は、前記シート基材が前記開口部を覆う面積のうち略半分の面積に形成されることを特徴としている。
この特徴によれば、開口部の略半分の面積を覆うように下地部が目立つようになり、消費者に副情報を認知させることができ、かつシート基材により覆われる開口部の略半分は透明であり、消費者がこの透明な部位から生鮮食料品を確認し易くなる。
【０００９】
本発明のラッピングフィルムは、
前記下地部は、前記シート基材の表側に印刷されることを特徴としている。
この特徴によれば、生鮮食料品によりシート基材が擦れても下地部が剥がれる虞がなくなる。
【００１０】
本発明のラッピングフィルムは、
前記下地部は、白系の色合いの単色印刷となっていることを特徴としている。
この特徴によれば、白系の色合いの単色印刷が、下地部内の副情報を読み易くし、かつ容器体内の生鮮食料品を下地部を介して視認し易くすることに適した印刷となっている。
【００１１】
本発明のラッピングフィルムは、
前記生鮮食料品は、暖色系の色合いを有する果物類または野菜類となっていることを特徴としている。
この特徴によれば、暖色系の色合いを有する果物類または野菜類が、半透明な下地部を介して視認し易い生鮮食料品となっている。
【図面の簡単な説明】
【００１２】
【図１】ラッピングフィルムの使用態様を示す斜視図である。
【図２】実施例１におけるラッピングフィルムを示す平面図である。
【図３】実施例２におけるラッピングフィルムを示す平面図である。
【図４】実施例３におけるラッピングフィルムを示す平面図である。
【図５】実施例４におけるラッピングフィルムを示す平面図である。
【発明を実施するための形態】
【００１３】
本発明に係るラッピングフィルムを実施するための形態を実施例に基づいて以下に説明する。
【実施例１】
【００１４】
実施例１に係るラッピングフィルムにつき、図１から図２を参照して説明する。図１の符号１は、本発明の適用されたラッピングフィルムである。このラッピングフィルム１は、イチゴ等の赤色の暖色系の色合いを有する果物類である生鮮食料品２を入れたプラスチック製の透明な容器体３（イチゴパック）の開口部４を覆っている。ラッピングフィルム１の左右縁辺５には、粘着材が塗布されており、この左右縁辺５が容器体３の左右側面に粘着されるようになっている。
【００１５】
ラッピングフィルム１は、主にＯＰＰ（二軸延伸ポリプロピレン（biaxial oriented polypropylene））フィルムで構成された透明なシート基材６で構成されており、シート基材６の厚さは０．０３ｍｍ程度に形成されている。シート基材６には、生鮮食料品の商品名で構成される主情報７が大きな文字で印刷されている。
【００１６】
図２に示すように、シート基材６の略半分の面積に半透明な下地部８が網点印刷により形成されている。この下地部８は、シート基材６が開口部４を覆ったときに、その面積のうち略半分の面積を占めるようになっている。この下地部８は、白系の色合いの単色印刷となっている。
【００１７】
尚、本実施例では、シート基材６の下側の略半分が下地部８となっており、シート基材６の上側の略半分が透明なままとなっており、この透明な部位に主情報７が印刷されている。また、下地部８の縁辺９の形状は、装飾用の模様等にしてもよい。
【００１８】
また、図２中の部分拡大図に示すように、下地部８は、多数のドット１０が印刷されることにより擬似的に半透明な状態にされている。更に、下地部８の網点濃度が５〜４０％であることが好ましい。更に、下地部８の網点濃度が１０〜２０％であることがより好ましい。
【００１９】
更に、下地部８内には、生鮮食料品２に関連する副次的な情報で構成される副情報１１が印刷されている。この副情報１１は、主情報７以外の生鮮食料品２に関連する様々な情報や広告等で構成されており、例えば、生鮮食料品２と一緒に購入を勧める商品の広告や、生鮮食料品２の生産者の写真や農場の写真、生鮮食料品２のレシピや知識や雑学、生鮮食料品２の販売に関するＵＲＬや二次元コードなどがある。
【００２０】
尚、本実施例では、オフセット印刷を用いて主情報７、下地部８、副情報１１が印刷されているとともに、シート基材６の表側に印刷されている。更に尚、副情報１１に用いる色数は任意に設定できる。
【００２１】
本実施例のラッピングフィルム１に用いる生鮮食料品２としては、イチゴ以外にも、ブドウ、サクランボ、ビワ、イチジク、プラムなどの暖色系の果物類がある。また、トマト、ミョウガ、シソなどの暖色系の野菜類があり、暖色系の野菜以外にも、シシトウ、カイワレなどにも用いることができる。
【００２２】
以上、本実施例におけるラッピングフィルム１にあっては、シート基材６は、少なくとも一部に半透明な下地部８が網点印刷により形成され、下地部８内に副情報１１が印刷されており、下地部８の網点濃度は、５〜４０％となっていることで、副次的な情報である副情報１１を小さい文字で印刷する際に、半透明な下地部８内に印刷されるため、生鮮食料品２の色合いに邪魔されることなく副情報１１が読み易くなるばかりか、下地部８を通して容器体３内の生鮮食料品２を視認することができ、かつ５〜４０％の網点濃度が、下地部８内の副情報１１を読み易くし、かつ容器体３内の生鮮食料品２を下地部８を介して視認し易くすることに適した網点濃度となっている。
【００２３】
また、下地部８の網点濃度は、１０〜２０％となっていることで、１０〜２０％の網点濃度が、下地部８内の副情報１１を読み易くし、かつ容器体３内の生鮮食料品２を下地部８を介して視認し易くすることに最も適した網点濃度となっている。
【００２４】
また、下地部８は、シート基材６が開口部４を覆う面積のうち略半分の面積に形成されることで、開口部４の略半分の面積を覆うように下地部８が目立つようになり、消費者に副情報１１を認知させることができ、かつシート基材６により覆われる開口部４の略半分は透明であり、消費者がこの透明な部位から生鮮食料品２を確認し易くなる。
【００２５】
また、下地部８は、シート基材６の表側に印刷されることで、生鮮食料品２によりシート基材６が擦れても下地部８が剥がれる虞がなくなる。
【００２６】
また、下地部８は、白系の色合いの単色印刷となっていることで、白系の色合いの単色印刷が、下地部８内の副情報１１を読み易くし、かつ容器体３内の生鮮食料品２を下地部８を介して視認し易くすることに適した印刷となっている。
【００２７】
また、生鮮食料品２は、暖色系の色合いを有する果物類または野菜類となっていることで、暖色系の色合いを有する果物類または野菜類が、半透明な下地部８を介して視認し易い生鮮食料品２となっている。
【実施例２】
【００２８】
図３に示すように、実施例２におけるラッピングフィルム１ａでは、シート基材６の中央に下地部８ａが帯状に印刷されており、この下地部８ａ内に副情報１１が印刷されている。このようにすることで、下地部８ａの上下側にシート基材６の透明な部位が形成されるため、生鮮食料品２の全体を視認し易くなっている。
【実施例３】
【００２９】
図４に示すように、実施例３におけるラッピングフィルム１ｂでは、シート基材６が開口部４を覆うことが想定される面積のうち略半分の面積のみに下地部８ｂが印刷され、かつシート基材６の下側の略半分が下地部８ｂとなっており、この下地部８ｂ内に副情報１１が印刷されている。このようにすることで、下地部８ｂの印刷用のインクが節約できる。
【実施例４】
【００３０】
図５に示すように、実施例４におけるラッピングフィルム１ｃでは、シート基材６が開口部４を覆うことが想定される面積のうち略半分の面積のみに下地部８ｃが印刷され、かつシート基材６の中央に下地部８ｃが印刷されており、この下地部８ｃ内に副情報１１が印刷されている。このようにすることで、下地部８ｃの印刷用のインクが節約でき、かつ下地部８ｃの上下側にシート基材６の透明な部位が形成されるため、生鮮食料品２の全体を視認し易くなり、更に、下地部８ｃを枠として囲まれた副情報１１が目立つようになる。
【００３１】
以上、本発明の実施例を図面により説明してきたが、具体的な構成はこれら実施例に限られるものではなく、本発明の要旨を逸脱しない範囲における変更や追加があっても本発明に含まれる。
【００３２】
例えば、前記実施例では、下地部８内に副情報１１を印刷するようにしているが、下地部８の一部に透明な部位を残しておき、この下地部８で囲まれた透明な部位に副情報１１を印刷するようにしてもよい。
【符号の説明】
【００３３】
１                ラッピングフィルム
２                生鮮食料品
３                容器体
４                開口部
５                左右縁辺
６                シート基材
７                主情報
８                下地部
９                縁辺
１０              ドット
１１              副情報
【図１】
0005476223.tif 000002
【図２】
0005476223.tif 000003
【図３】
0005476223.tif 000004
【図４】
0005476223.tif 000005
【図５】
0005476223.tif 000006